(57)【要約】【課題】停電時に負荷へ長期間電力を供給することができる防災倉庫を提供する。【解決手段】特定負荷２２を有する建物本体と、蓄電能力を有し、特定負荷２２へと電力を供給可能な第一の発電ユニット４０と、発電能力を有し、特定負荷２２へと電力を供給可能な第二の発電ユニット５０と、配電線Ｌ５・Ｌ７〜Ｌ１０に介挿され、特定負荷２２への給電元を第一の発電ユニット４０又は第二の発電ユニット５０に切り替える第一の自動切替盤６０と、を具備し、第一の自動切替盤６０は、停電時に第二の発電ユニット５０が発電していると特定負荷２２への給電元を第二の発電ユニット５０に切り替えると共に、停電時に第二の発電ユニット５０が発電していないと特定負荷２２への給電元を第一の発電ユニット４０に切り替えるものである。【選択図】図５
2017038490.tif 000002
【特許請求の範囲】
【請求項１】
負荷を有する建物本体と、
蓄電能力を有し、前記負荷へと電力を供給可能な蓄電ユニットと、
発電能力を有し、前記負荷へと電力を供給可能な発電ユニットと、
前記蓄電ユニット及び前記発電ユニットと前記負荷とを結ぶ電路に介挿され、前記負荷への給電元を前記蓄電ユニット又は前記発電ユニットに切り替える第一の切替盤と、
を具備し、
前記第一の切替盤は、
停電時に前記発電ユニットが発電していると前記負荷への給電元を前記発電ユニットに切り替えると共に、停電時に前記発電ユニットが発電していないと前記負荷への給電元を前記蓄電ユニットに切り替える、
防災倉庫。
【請求項２】
前記蓄電ユニットと前記第一の切替盤とを結ぶ電路に介挿され、前記蓄電ユニットから前記負荷への給電許否を切り替える第二の切替盤をさらに具備し、
前記第二の切替盤は、
非停電時に前記蓄電ユニットから前記負荷への給電を禁止すると共に、停電時に前記蓄電ユニットから前記負荷への給電を許可する、
請求項１に記載の防災倉庫。
【請求項３】
前記第一の切替盤と前記第二の切替盤とを結ぶ電路に介挿され、当該電路の接続及び接続の解除を行う接点リレーをさらに具備し、
前記接点リレーは、
停電時に前記第一の切替盤と前記第二の切替盤とを結ぶ電路を接続すると共に、非停電時に前記第一の切替盤と前記第二の切替盤とを結ぶ電路の接続を解除する、
請求項２に記載の防災倉庫。
【請求項４】
前記建物本体は、前記負荷とは異なる負荷を有し、
非停電時に前記蓄電ユニット及び前記発電ユニットを、前記第一の切替盤を介さずに前記負荷及び前記異なる負荷への給電元とする、
請求項１から請求項３までのいずれか一項に記載の防災倉庫。
【請求項５】
前記第一の切替盤と前記負荷とを結ぶ電路に介挿され、前記蓄電ユニット、前記発電ユニット又は商用電源の少なくともいずれか一つからの電力を充放電可能であると共に持ち運び可能な蓄電装置をさらに具備する、
請求項１から請求項４までのいずれか一項に記載の防災倉庫。
【請求項６】
前記蓄電ユニットは、
発電能力を有する発電装置と、
前記発電装置の電力を充放電可能な蓄電装置と、
前記発電装置で発電された電力を前記蓄電装置及び前記負荷へ供給可能であると共に前記蓄電装置から放電された電力を前記負荷へ供給可能なパワーコンディショナーと、
を具備する、
請求項１から請求項５までのいずれか一項に記載の防災倉庫。
【発明の詳細な説明】
【技術分野】
【０００１】
本発明は、蓄電能力を有する蓄電ユニットと発電能力を有する発電ユニットとを具備する防災倉庫の技術に関する。
【背景技術】
【０００２】
従来、蓄電能力を有する蓄電ユニットと発電能力を有する発電ユニットとを具備する防災倉庫の技術が公知となっている。例えば、特許文献１に記載の如くである。
【０００３】
特許文献１に記載の防災倉庫は、非停電時に商用電源からの電力を負荷（内部に設けられる電灯や換気扇等）へ供給する。また、前記防災倉庫は、停電時に発電ユニット（太陽電池又は風力発電機）及び蓄電ユニット（蓄電池）からの電力を負荷へ供給する。
【先行技術文献】
【特許文献】
【０００４】
【特許文献１】特開２００４−３５２４７７号公報
【発明の概要】
【発明が解決しようとする課題】
【０００５】
しかしながら、特許文献１に記載の防災倉庫は、停電時に発電ユニットの発電状態を考慮することなく蓄電ユニットを放電してしまう。このため、前記防災倉庫は、発電ユニットからの電力で負荷の消費電力を賄える場合でも、蓄電ユニットを放電してしまう可能性がある。この場合、電力を安定して供給可能な蓄電ユニットの残量が短期間でなくなってしまう可能性がある。従って、前記防災倉庫は、停電時に負荷へ長期間電力を供給することができない可能性があった。
【０００６】
本発明は、以上の如き状況を鑑みてなされたものであり、その解決しようとする課題は停電時に負荷へ長期間電力を供給することができる防災倉庫を提供するものである。
【課題を解決するための手段】
【０００７】
本発明の解決しようとする課題は以上の如くであり、次にこの課題を解決するための手段を説明する。
【０００８】
即ち、負荷を有する建物本体１０と、蓄電能力を有し、前記負荷へと電力を供給可能な蓄電ユニットと、発電能力を有し、前記負荷へと電力を供給可能な発電ユニットと、前記蓄電ユニット及び前記発電ユニットと前記負荷とを結ぶ電路に介挿され、前記負荷への給電元を前記蓄電ユニット又は前記発電ユニットに切り替える第一の切替盤と、を具備し、前記第一の切替盤は、停電時に前記発電ユニットが発電していると前記負荷への給電元を前記発電ユニットに切り替えると共に、停電時に前記発電ユニットが発電していないと前記負荷への給電元を前記蓄電ユニットに切り替えるものである。
【０００９】
前記蓄電ユニットと前記第一の切替盤とを結ぶ電路に介挿され、前記蓄電ユニットから前記負荷への給電許否を切り替える第二の切替盤をさらに具備し、前記第二の切替盤は、非停電時に前記蓄電ユニットから前記負荷への給電を禁止すると共に、停電時に前記蓄電ユニットから前記負荷への給電を許可することとしてもよい。
このような構成により、負荷への給電元を蓄電ユニットと発電ユニットとに速やかに切り替えることができる。
【００１０】
前記第一の切替盤と前記第二の切替盤とを結ぶ電路に介挿され、当該電路の接続及び接続の解除を行う接点リレーをさらに具備し、前記接点リレーは、停電時に前記第一の切替盤と前記第二の切替盤とを結ぶ電路の接続を接続すると共に、非停電時に前記第一の切替盤と前記第二の切替盤とを結ぶ電路の接続を解除することとしてもよい。
このような構成により、負荷への給電元を蓄電ユニットと発電ユニットとに速やかに切り替えることができる。
【００１１】
前記建物本体は、前記負荷とは異なる負荷を有し、非停電時に前記蓄電ユニット及び前記発電ユニットを、前記第一の切替盤を介さずに前記負荷及び前記異なる負荷への給電元とすることとしてもよい。
このような構成により、停電時に供給する電力量を減らすことができる。
【００１２】
前記第一の切替盤と前記負荷とを結ぶ電路に介挿され、前記蓄電ユニット、前記発電ユニット又は商用電源の少なくともいずれか一つからの電力を充放電可能であると共に持ち運び可能な蓄電装置をさらに具備することとしてもよい。
このような構成により、停電時に所定の場所で電力を使用することができる。
【００１３】
前記蓄電ユニットは、発電能力を有する発電装置と、前記発電装置の電力を充放電可能な蓄電装置と、前記発電装置で発電された電力を前記蓄電装置及び前記負荷へ供給可能であると共に前記蓄電装置から放電された電力を前記負荷へ供給可能なパワーコンディショナーと、を具備することとしてもよい。
このような構成により、停電時に負荷へ長期間電力を供給することができる。
【発明の効果】
【００１４】
停電時に負荷へ長期間電力を供給することができる。
【図面の簡単な説明】
【００１５】
【図１】防災倉庫の内部を示した斜視図。
【図２】防災倉庫の構成を示したブロック図。
【図３】非停電時において、電力を負荷へ供給する様子を示した図。
【図４】停電時において、第二の発電ユニットの電力を負荷へ供給する様子を示した図。
【図５】停電時において、第一の発電ユニットの電力を負荷へ供給する様子を示した図。
【発明を実施するための形態】
【００１６】
以下の説明においては、図中に記した矢印に従って、上下方向、左右方向及び前後方向をそれぞれ定義する。
【００１７】
以下では、本発明の一実施形態に係る防災倉庫１について説明する。
【００１８】
図１及び図２に示す防災倉庫１は、災害や大規模停電が発生したときに防災の拠点となるものである。防災倉庫１は、建物本体１０、蓄電装置３０、第一の発電ユニット４０、第二の発電ユニット５０、第一の自動切替盤６０、第二の自動切替盤７０及び接点リレー８０を具備する。
【００１９】
建物本体１０は、床部１１及び屋根（不図示）を有する。建物本体１０は、四方が複数の壁部により囲まれる。より詳細には、建物本体１０は、前部に配置された前壁部１２と、後部に配置された後壁部１３と、左部に配置された左壁部１４と、右部に配置された右壁部１５とにより、前後方向及び左右方向を囲まれて形成される。建物本体１０は、その長手方向を左右方向に向けた平面視略矩形状に形成される。本実施形態に係る建物本体１０は、電気自動車の車庫としても利用できる程度に大きな内部形状を有する。
【００２０】
このような建物本体１０の前壁部１２の左端部には棚１６が設けられる。棚１６には、防災用の備蓄用品１６ａ（例えば、毛布やヘルメット等）が配置される。前壁部１２及び左壁部１４には、後述する特定負荷２２のコンセント２２ａが設けられる。後壁部１３は、その左部が開口され、当該開口された箇所に人が出入可能なドア１７が設けられる。また、後壁部１３は、その左右中途部から右端部に亘って開口され、当該開口された箇所に電気自動車が出入可能なシャッター１８が設けられる。
【００２１】
このように構成される建物本体１０は、一般負荷２１、特定負荷２２及び充電コンセント２３を有する。
【００２２】
一般負荷２１は、停電時に電力が供給されなくても大きな支障のない機器である。このような一般負荷２１としては、例えば、防犯カメラや防犯灯等がある。一般負荷２１には、配電線Ｌ１〜Ｌ３を介して商用電源１００からの電力が供給される。
【００２３】
配電線Ｌ１は、一端部が商用電源１００と接続されると共に他端部が後述する第二の発電ユニット５０のパワコン５２と接続される。配電線Ｌ２は、一端部が配電線Ｌ１の中途部と接続されると共に他端部が分電盤Ｂ２１と接続される。配電線Ｌ１・Ｌ２の中途部には漏電ブレーカーＢ１１・Ｂ１２が設けられる。配電線Ｌ３は、一端部が分電盤Ｂ２１と接続されると共に他端部が一般負荷２１と接続される。
【００２４】
特定負荷２２は、停電時に電力が供給されることが好ましい機器である。このような特定負荷２２としては、例えば、室内照明、コンセント２２ａ、換気扇及び日射計や気温計の信号を変換するトランスデューサ等がある。特定負荷２２には、停電が発生していない場合に配電線Ｌ１・Ｌ２・Ｌ４・Ｌ５を介して商用電源１００からの電力が供給される。
【００２５】
配電線Ｌ４は、一端部が分電盤Ｂ２１と接続されると共に他端部が後述する蓄電装置３０と接続される。配電線Ｌ５は、一端部が蓄電装置３０と接続されると共に他端部が特定負荷２２と接続される。配電線Ｌ４・Ｌ５の中途部には、端子台Ｔ１・Ｔ２が設けられる。
【００２６】
充電コンセント２３は、電気自動車の蓄電装置を充電するためのものである。充電コンセント２３には、停電が発生していない場合に配電線Ｌ１・Ｌ２・Ｌ６・Ｌ７を介して商用電源１００からの電力が供給される。
【００２７】
配電線Ｌ６は、一端部が配電線Ｌ２の中途部（漏電ブレーカーＢ１２よりも商用電源１００側）と接続されると共に他端部が後述する第一の発電ユニット４０のパワコン４３と接続される。配電線Ｌ６の中途部には漏電ブレーカーＢ１３が設けられる。配電線Ｌ７は、一端部がパワコン４３と接続されると共に他端部が充電コンセント２３と接続される。配電線Ｌ７の中途部には端子台Ｔ３が設けられる。
【００２８】
蓄電装置３０は、商用電源１００等からの電力を充放電可能に構成される装置である。蓄電装置３０は、電力を充放電可能なリチウムイオン電池やニッケル水素電池等からなる蓄電池や、供給されてくる交流電力を整流して前記蓄電池に充電させる充電器や、前記蓄電池からの直流電力を交流電力に変換して出力するインバータや、前記蓄電池の充放電を制御する制御部等を具備する。蓄電装置３０は、例えば、取っ手等が設けられて持ち運び可能に構成される。蓄電装置３０は、建物本体１０の内部に配置される。蓄電装置３０は、自立運転コンセント３１を具備する。
【００２９】
自立運転コンセント３１は、停電時に前記蓄電池へ電力を供給するためのものである。自立運転コンセント３１は、蓄電装置３０の側面に設けられる。
【００３０】
このように構成される蓄電装置３０には、配電線Ｌ４・Ｌ５が接続される。また、自立運転コンセント３１には、後述する配電線Ｌ９が接続される。蓄電装置３０は、配電線Ｌ４・Ｌ９から供給される電力を充電しながら、配電線Ｌ５へ電力を放電可能に構成される。また、蓄電装置３０は、満充電である場合等において、配電線Ｌ４・Ｌ９から供給される電力をそのまま（充電することなく）配電線Ｌ５へ流通可能に構成される。これによって、蓄電装置３０は、商用電源１００等からの電力を特定負荷２２へ供給することができる。
【００３１】
第一の発電ユニット４０は、発電及び蓄電可能な設備である。第一の発電ユニット４０は、太陽電池パネル４１、蓄電装置４２及びパワコン４３を具備する。
【００３２】
太陽電池パネル４１は、太陽光を利用して発電するものである。太陽電池パネル４１は、枠体に複数の太陽電池を取り付けること等によって構成される。太陽電池パネル４１は、前記太陽電池に太陽光が当たることで発電する。太陽電池パネル４１は、日当たりの良い場所、本実施形態では建物本体１０の屋根に敷設される。
【００３３】
蓄電装置４２は、太陽電池パネル４１で発電された電力及び商用電源１００からの電力を充放電可能に構成される装置である。蓄電装置４２は、蓄電池や、供給されてくる交流電力を整流して前記蓄電池に充電させる充電器や、前記蓄電池からの直流電力を交流電力に変換して出力するインバータ等を具備する。蓄電装置４２は、例えば、建物本体１０の左方等に設置される。
【００３４】
パワコン４３は、太陽電池パネル４１、蓄電装置４２及び商用電源１００からの電力を適宜変換するハイブリッドパワーコンディショナーである。パワコン４３は、太陽電池パネル４１及び蓄電装置４２よりも商用電源１００側に配置され、異なる二つの配電線を介して太陽電池パネル４１及び蓄電装置４２とそれぞれ接続される。パワコン４３は、太陽電池パネル４１で発電された直流電力を所定の電圧に適宜変換するコンバーターや直流電力を交流電力に変換するインバーターや動作を制御するための制御部等を具備する。パワコン４３は、太陽電池パネル４１で発電された電力を蓄電装置４２へ供給可能に構成される。パワコン４３は、配電線Ｌ１に設けられる電圧センサと接続される。パワコン４３には、前記電圧センサから商用電源１００からの供給電圧に関する信号が入力される。パワコン４３は、前記信号に基づいて停電を検知可能に構成される。
【００３５】
パワコン４３は、配電線Ｌ７を介して充電コンセント２３と接続される。パワコン４３は、配電線Ｌ６・Ｌ２・Ｌ１を介して商用電源１００と接続される。パワコン４３は、配電線Ｌ６・Ｌ２・Ｌ３を介して一般負荷２１と接続される。パワコン４３は、配電線Ｌ６・Ｌ２・Ｌ４・Ｌ５を介して特定負荷２２と接続される。また、パワコン４３は、配電線Ｌ７〜Ｌ９・Ｌ５を介しても特定負荷２２と接続される。
【００３６】
配電線Ｌ８は、一端部が端子台Ｔ３（配電線Ｌ７の中途部）と接続されると共に他端部が配電線Ｌ９の中途部と接続される。配電線Ｌ９は、一端部が端子台Ｔ１（配電線Ｌ４の中途部）と接続されると共に他端部が蓄電装置３０の自立運転コンセント３１と接続される。
【００３７】
このように構成されるパワコン４３は、連系運転及び自立運転を行うことができる。連系運転は、商用電源１００と連系して太陽電池パネル４１及び蓄電装置４２を運転させ、一般負荷２１等へ電力を供給するものである。自立運転は、商用電源１００から独立して太陽電池パネル４１及び蓄電装置４２を運転させ、特定負荷２２等へ電力を供給するものである。連系運転及び自立運転を行う場合の電力の供給態様については後で詳述する。
【００３８】
第二の発電ユニット５０は、発電可能な設備である。第二の発電ユニット５０は、太陽電池パネル５１及びパワコン５２を具備する。
【００３９】
太陽電池パネル５１は、第一の発電ユニット４０の太陽電池パネル４１と同じように構成される。
【００４０】
パワコン５２は、太陽電池パネル５１で発電された直流電力を交流電力に変換するものである。パワコン５２は、所定の配電線を介して太陽電池パネル５１と接続される。また、パワコン５２は、前記配電線Ｌ１に設けられる電圧センサと接続される。パワコン５２には、前記電圧センサから商用電源１００からの供給電圧に関する信号が入力される。パワコン５２は、前記信号に基づいて停電を検知可能に構成される。パワコン５２は、自立運転コンセント５２ａを具備する。
【００４１】
自立運転コンセント５２ａは、停電時に太陽電池パネル５１から電力が供給されるものである。
【００４２】
パワコン５２は、配電線Ｌ１を介して商用電源１００と接続される。パワコン５２は、配電線Ｌ１〜Ｌ３を介して一般負荷２１と接続される。パワコン５２は、配電線Ｌ１・Ｌ２・Ｌ６・Ｌ７を介して充電コンセント２３と接続される。パワコン５２は、配電線Ｌ１・Ｌ２・Ｌ４・Ｌ５を介して特定負荷２２と接続される。また、パワコン５２は、配電線Ｌ１０・Ｌ９・Ｌ５を介しても特定負荷２２と接続される。
【００４３】
配電線Ｌ１０は、一端部が自立運転コンセント５２ａと接続されると共に他端部が配電線Ｌ９の中途部と接続される。
【００４４】
このように構成されるパワコン５２は、連系運転及び自立運転を行うことができる。連系運転及び自立運転を行う場合の電力の供給態様については後で詳述する。
【００４５】
第一の自動切替盤６０は、特定負荷２２への給電元を第一の発電ユニット４０又は第二の発電ユニット５０に切り替えるものである。第一の自動切替盤６０は、配電線Ｌ９・Ｌ１０の接続部に設けられる。第一の自動切替盤６０は、第二の発電ユニット５０のパワコン５２と接続される。第一の自動切替盤６０には、パワコン５２から運転状態及び太陽電池パネル５１の発電量に関する信号が入力される。第一の自動切替盤６０は、前記信号に基づいて自立運転時に太陽電池パネル５１が発電しているかどうかを検知可能に構成される。第一の自動切替盤６０は、第一のリレー６１及び第二のリレー６２を具備する。
【００４６】
第一のリレー６１は、配電線Ｌ１０の接続及び接続の解除（開閉状態の切替）を行うものである。第一のリレー６１は、配電線Ｌ１０の他端部（第一の自動切替盤６０内）に設けられる。第一のリレー６１が閉状態となると、配電線Ｌ１０（第一のリレー６１の接点同士）は、接続される。一方、第一のリレー６１が開状態となると、配電線Ｌ１０の接続は、解除される。
【００４７】
第二のリレー６２は、配電線Ｌ９の接続及び接続の解除（開閉状態の切替）を行うものである。第二のリレー６２は、配電線Ｌ９の中途部（第一の自動切替盤６０内）に設けられる。第二のリレー６２が閉状態となると、配電線Ｌ９（第二のリレー６２の接点同士）は、接続される。一方、第二のリレー６２が開状態となると、配電線Ｌ９の接続は、解除される。
【００４８】
このように構成される第一の自動切替盤６０は、第一のリレー６１及び第二のリレー６２のいずれか一方を開状態にすると共に他方を閉状態にする排他制御を行う。
【００４９】
第二の自動切替盤７０は、第一の発電ユニット４０から特定負荷２２への給電許否を切り替えるものである。第二の自動切替盤７０は、配電線Ｌ８・Ｌ９の接続部に設けられる。第二の自動切替盤７０は、第一の自動切替盤６０よりも第一の発電ユニット４０側に配置される。第二の自動切替盤７０は、前記配電線Ｌ１に設けられる電圧センサと接続される。第二の自動切替盤７０には、前記電圧センサから商用電源１００からの供給電圧に関する信号が入力される。第二の自動切替盤７０は、前記信号に基づいて停電を検知可能に構成される。第二の自動切替盤７０は、第一のリレー７１及び第二のリレー７２を具備する。
【００５０】
第一のリレー７１は、配電線Ｌ８の接続及び接続の解除（開閉状態の切替）を行うものである。第一のリレー７１は、配電線Ｌ８の他端部（第二の自動切替盤７０内）に設けられる。第一のリレー７１が閉状態となると、配電線Ｌ８（第一のリレー７１の接点同士）は、接続される。一方、第一のリレー７１が開状態となると、配電線Ｌ８の接続は、解除される。
【００５１】
第二のリレー７２は、配電線Ｌ９の接続及び接続の解除（開閉状態の切替）を行うものである。第二のリレー７２は、配電線Ｌ９の中途部（第二の自動切替盤７０内）に設けられる。第二のリレー７２が閉状態となると、配電線Ｌ９（第二のリレー７２の接点同士）は、接続される。一方、第二のリレー７２が開状態となると、配電線Ｌ９の接続は、解除される。
【００５２】
このように構成される第二の自動切替盤７０は、第一のリレー７１及び第二のリレー７２のいずれか一方を開状態にすると共に他方を閉状態にする排他制御を行う。
【００５３】
接点リレー８０は、配電線Ｌ９の接続及び接続の解除（開閉状態の切替）を行うものである。接点リレー８０は、第一の自動切替盤６０と第二の自動切替盤７０との間に設けられる。接点リレー８０は、前記配電線Ｌ１に設けられる前記電圧センサと接続される。接点リレー８０には、前記電圧センサから商用電源１００からの供給電圧に関する信号が入力される。接点リレー８０は、前記信号に基づいて停電を検知可能に構成される。接点リレー８０が閉状態となると、配電線Ｌ９（接点リレー８０の接点同士）は、接続される。一方、接点リレー８０が開状態となると、配電線Ｌ９の接続は、解除される。
【００５４】
次に、図３を用いて防災倉庫１における非停電時の電力の供給態様について説明する。
【００５５】
パワコン４３・５２は、前記配電線Ｌ１に設けられる電圧センサからの信号に基づいて停電が発生していないと判断し、連系運転を行う。このとき、パワコン５２は、配電線Ｌ１〜Ｌ７を介して、太陽電池パネル５１で発電された電力を商用電源１００からの電力と共に一般負荷２１、特定負荷２２及び充電コンセント２３へ供給する。また、パワコン４３は、第二の発電ユニット５０及び商用電源１００からの電力を配電線Ｌ７を介してそのまま充電コンセント２３へ供給すると共に、太陽電池パネル４１で発電された電力を蓄電装置４２に充電する。また、パワコン４３は、蓄電装置４２が満充電となった場合等に、配電線Ｌ２〜Ｌ７を介して太陽電池パネル４１で発電された電力を商用電源１００からの電力と共に一般負荷２１、特定負荷２２及び充電コンセント２３へ供給する。
【００５６】
第一の自動切替盤６０は、第二の発電ユニット５０のパワコン５２からの信号に基づいてパワコン５２が連系運転していることを確認する。そして、第一の自動切替盤６０は、第一のリレー６１を開状態にすると共に、第二のリレー６２を閉状態にする。
【００５７】
第二の自動切替盤７０は、前記配電線Ｌ１に設けられる電圧センサからの信号に基づいて停電が発生していないと判断し、第一のリレー７１を開状態にすると共に第二のリレー７２を閉状態にする。
【００５８】
接点リレー８０は、前記配電線Ｌ１に設けられる電圧センサからの信号に基づいて停電が発生していないと判断し、開状態にする。
【００５９】
ここで、配電線Ｌ４を流通する電力は、端子台Ｔ１を介して配電線Ｌ９にも流通する。第二の自動切替盤７０の第二のリレー７２が閉状態となっているため、前記電力は、第二の自動切替盤７０から接点リレー８０まで流通する。しかし、接点リレー８０が開状態となっているため、前記電力は接点リレー８０よりも下流側（蓄電装置３０側）には流通しない。
【００６０】
また、配電線Ｌ７を流通する電力は、端子台Ｔ３を介して配電線Ｌ８にも流通する。しかし、第二の自動切替盤７０の第一のリレー７１が開状態となっている（第一の発電ユニット４０から特定負荷２２への給電が禁止されている）ため、前記電力は、第二の自動切替盤７０よりも下流側（蓄電装置３０側）には流通しない。
【００６１】
パワコン４３・５２は、非停電時において、太陽電池パネル４１・５１からの電力が余った場合に、当該余った電力を配電線Ｌ１等を介して商用電源１００へ逆潮流（売電）する。また、パワコン４３は、非停電時において、必要に応じて（太陽電池パネル４１が発電していない場合や蓄電装置４２の残量が少ない場合等に）第二の発電ユニット５０及び商用電源１００からの電力を蓄電装置４２に充電する。
【００６２】
次に、図４及び図５を用いて防災倉庫１における停電時の電力の供給態様について説明する。
【００６３】
本実施形態に係る防災倉庫１は、停電時において、第二の発電ユニット５０の発電状態（発電有無）に応じて電力の供給態様が変化する。このため、まず、図４を用いて、停電時に第二の発電ユニット５０が発電している場合の電力の供給態様について説明する。なお、以下では、第二の発電ユニット５０の発電中に停電が発生したものとする。
【００６４】
パワコン４３・５２は、前記配電線Ｌ１に設けられる電圧センサからの信号に基づいて停電を検知し、連系運転から自立運転に切り替える。このとき、パワコン４３は、太陽電池パネル４１で発電された電力を配電線Ｌ７へ流通させ、充電コンセント２３へ供給する。また、パワコン５２は、太陽電池パネル５１で発電された電力を自立運転コンセント５２ａへ供給する。
【００６５】
第一の自動切替盤６０は、第二の発電ユニット５０のパワコン５２からの信号に基づいて、パワコン５２が自立運転していることを確認すると共に、太陽電池パネル５１が発電していることを確認する。そして、第一の自動切替盤６０は、第一のリレー６１を閉状態にすると共に、第二のリレー６２を開状態にする。
【００６６】
これにより、第二の発電ユニット５０からの電力（自立運転コンセント５２ａへ供給される電力）は、配電線Ｌ１０から第一の自動切替盤６０を流通し、蓄電装置３０の自立運転コンセント３１へ供給される。当該電力は、蓄電装置３０から配電線Ｌ５へ流通され、特定負荷２２へ供給される。
【００６７】
第二の自動切替盤７０は、前記配電線Ｌ１に設けられる電圧センサからの信号に基づいて停電を検知し、第一のリレー７１を閉状態にすると共に第二のリレー７２を開状態にする。
【００６８】
接点リレー８０は、前記配電線Ｌ１に設けられる電圧センサからの信号に基づいて停電を検知し、開状態から閉状態に切り替える。
【００６９】
これにより、配電線Ｌ７から配電線Ｌ８へ流通する第一の発電ユニット４０からの電力は、第二の自動切替盤７０及び接点リレー８０から第一の自動切替盤６０へ流通する。しかし、第一の自動切替盤６０の第二のリレー６２が開状態となっている（特定負荷２２への給電元が第二の発電ユニット５０になっている）ため、前記電力は、第一の自動切替盤６０よりも下流側（蓄電装置３０側）には流通しない。
【００７０】
このように、防災倉庫１は、停電時に第二の発電ユニット５０が発電している場合、第二の発電ユニット５０からの電力を特定負荷２２へ供給する。また、防災倉庫１は、第一の発電ユニット４０からの電力を充電コンセント２３へ供給する。すなわち、防災倉庫１は、第一の発電ユニット４０からの電力を一般負荷２１及び特定負荷２２へ供給しない。これによれば、第一の発電ユニット４０は、停電時であっても第二の発電ユニット５０が発電していれば、充電コンセント２３に電力を供給するだけで済むため、停電時に供給する電力量を減らすことができる。
【００７１】
なお、パワコン４３は、太陽電池パネル４１で発電された電力だけで充電コンセント２３の電力を賄えない場合だけ、蓄電装置４２を放電させる。これによって、パワコン４３は、蓄電装置４２の残量を減り難くすることができる。
【００７２】
また、第一の発電ユニット４０は、太陽電池パネル４１で発電された電力が余った場合に、当該電力を蓄電装置４２に充電する。これによって、パワコン４３は、停電時であっても蓄電装置４２の残量を増やすことができる。
【００７３】
次に、図５を用いて、停電時に第二の発電ユニット５０（太陽電池パネル５１）が発電していない場合の電力の供給態様について説明する。なお、以下においては、図４に示す状態（停電時に第二の発電ユニット５０が発電している状態）から、第二の発電ユニット５０の発電が停止したものとする。また、以下においては、第一の発電ユニット４０の発電も停止したものとする。
【００７４】
パワコン４３・５２は、前記配電線Ｌ１に設けられる電圧センサからの信号に基づいて引き続き停電が発生していると判断する。このため、パワコン４３・５２は、引き続き自立運転を行う。この際、太陽電池パネル４１の発電が停止しているため、パワコン４３は、蓄電装置４２を放電させ、当該放電させた電力を配電線Ｌ７を介して充電コンセント２３へ供給する。また、太陽電池パネル５１の発電が停止しているため、自立運転コンセント５２ａには電力が供給されない。
【００７５】
第二の自動切替盤７０及び接点リレー８０は、前記配電線Ｌ１に設けられる電圧センサからの信号に基づいて引き続き停電が発生していると判断する。このため、第二の自動切替盤７０及び接点リレー８０は、第二の発電ユニット５０の発電が停止しても動作しない（図４に示す状態を維持する）。
【００７６】
第一の自動切替盤６０は、第二の発電ユニット５０のパワコン５２からの信号に基づいて、パワコン５２が自立運転していることを確認すると共に、太陽電池パネル５１が発電していないことを確認する。そして、第一の自動切替盤６０は、第一のリレー６１を開状態にすると共に、第二のリレー６２を閉状態にする。これによって、第一の自動切替盤６０は、特定負荷２２への給電元を第二の発電ユニット５０から第一の発電ユニット４０に切り替える。
【００７７】
これにより、第一の発電ユニット４０からの電力は、第二の自動切替盤７０、接点リレー８０及び第一の自動切替盤６０から蓄電装置３０の自立運転コンセント３１へ供給される。当該電力は、蓄電装置３０から配電線Ｌ５へ流通され、特定負荷２２へ供給される。また、第一の発電ユニット４０からの電力は、配電線Ｌ７を介して充電コンセント２３へ供給される。一方、第一の発電ユニット４０からの電力は、一般負荷２１には供給されない。
【００７８】
これによれば、第一の発電ユニット４０は、停電時に必要なとき（太陽電池パネル４１・５１が発電しない時間帯や悪天候となったとき）だけ、蓄電装置４２からの電力を特定負荷２２へ供給することができる。このため、第一の発電ユニット４０は、停電時に蓄電装置４２から放電する電力量を減らすことができる。これにより、防災倉庫１は、天候等に関わらず電力を安定して供給可能な蓄電装置４２の残量を長期間維持することができ、ひいては停電時に長期間電力を供給することができる。
【００７９】
また、本実施形態に係る第二の自動切替盤７０は、停電が発生したときに予め第一の発電ユニット４０からの給電を許可している。これにより、防災倉庫１は、第一の自動切替盤６０だけを動作させることで、停電時に第一の発電ユニット４０又は第二の発電ユニット５０から特定負荷２２へ電力を供給することができる。これによれば、防災倉庫１は、停電時に給電元を速やかに（大きなタイムラグが生じることなく）切り替えることができる。
【００８０】
また、防災倉庫１は、停電が発生したときに予め接点リレー８０を動作させて配電線Ｌ９を接続することで、第二の自動切替盤７０の場合と同様に、停電時に給電元を速やかに切り替えることができる。
【００８１】
また、第一の発電ユニット４０及び第二の発電ユニット５０は、停電時に一般負荷２１へ電力を供給しない（通常時のみ一般負荷２１へ電力を供給する）。これによれば、第一の発電ユニット４０及び第二の発電ユニット５０は、停電時に供給する電力量を減らすことができる。
【００８２】
また、本実施形態において、防災倉庫１は、持ち運び可能な蓄電装置３０を具備している。このため、防災倉庫１の利用者は、災害や大規模停電が発生したときに、蓄電装置３０を所望の場所（例えば、避難所等）へ運んで電力を使用することができる。なお、蓄電装置３０を持ち出した場合、配電線Ｌ４・Ｌ５は所定のケーブルを用いて接続することができる。
【００８３】
以上の如く、本実施形態に係る防災倉庫１は、特定負荷２２（負荷）を有する建物本体１０と、蓄電能力を有し、前記特定負荷２２へと電力を供給可能な第一の発電ユニット４０（蓄電ユニット）と、発電能力を有し、前記特定負荷２２へと電力を供給可能な第二の発電ユニット５０（発電ユニット）と、配電線Ｌ５・Ｌ７〜Ｌ１０（前記第一の発電ユニット４０及び前記第二の発電ユニット５０と前記特定負荷２２とを結ぶ電路）に介挿され、前記特定負荷２２への給電元を前記第一の発電ユニット４０又は前記第二の発電ユニット５０に切り替える第一の自動切替盤６０（第一の切替盤）と、を具備し、前記第一の自動切替盤６０は、停電時に前記第二の発電ユニット５０が発電していると前記特定負荷２２への給電元を前記第二の発電ユニット５０に切り替えると共に、停電時に前記第二の発電ユニット５０が発電していないと前記特定負荷２２への給電元を前記第一の発電ユニット４０に切り替えるものである。
【００８４】
このように構成することにより、停電時に特定負荷２２へ長期間電力を供給することができる。
【００８５】
また、配電線Ｌ７〜Ｌ９（前記第一の発電ユニット４０と前記第一の自動切替盤６０とを結ぶ電路）に介挿され、前記第一の発電ユニット４０から前記特定負荷２２への給電許否を切り替える第二の自動切替盤７０（第二の切替盤）をさらに具備し、前記第二の自動切替盤７０は、非停電時に前記第一の発電ユニット４０から前記特定負荷２２への給電を禁止すると共に、停電時に前記第一の発電ユニット４０から前記特定負荷２２への給電を許可するものである。
【００８６】
このように構成することにより、特定負荷２２への給電元を第一の発電ユニット４０と第二の発電ユニット５０とに速やかに切り替えることができる。
【００８７】
また、配電線Ｌ９（前記第一の自動切替盤６０と前記第二の自動切替盤７０とを結ぶ電路）に介挿され、当該配電線Ｌ９の接続及び接続の解除を行う接点リレー８０をさらに具備し、前記接点リレー８０は、停電時に前記配電線Ｌ９を接続すると共に、非停電時に前記配電線Ｌ９の接続を解除するものである。
【００８８】
このように構成することにより特定負荷２２への給電元を第一の発電ユニット４０と第二の発電ユニット５０とに速やかに切り替えることができる。
【００８９】
また、前記建物本体１０は、一般負荷２１（前記特定負荷２２とは異なる負荷）を有し、非停電時に前記第一の発電ユニット４０及び前記第二の発電ユニット５０を、前記第一の自動切替盤６０を介さずに前記特定負荷２２及び前記一般負荷２１への給電元とするものである。
【００９０】
このように構成することにより、停電時に供給する電力量を減らすことができる。
【００９１】
また、配電線Ｌ５・Ｌ９（前記第一の自動切替盤６０と前記特定負荷２２とを結ぶ電路）に介挿され、前記第一の発電ユニット４０、前記第二の発電ユニット５０又は商用電源１００の少なくともいずれか一つからの電力を充放電可能であると共に持ち運び可能な蓄電装置３０をさらに具備するものである。
【００９２】
このように構成することにより、停電時に所望の場所で電力を使用することができる。
【００９３】
また、前記第一の発電ユニット４０は、発電能力を有する太陽電池パネル４１（発電装置）と、前記太陽電池パネル４１の電力を充放電可能な蓄電装置４２と、前記太陽電池パネル４１で発電された電力を前記蓄電装置４２及び前記特定負荷２２へ供給可能であると共に前記蓄電装置４２から放電された電力を前記特定負荷２２へ供給可能なパワコン４３（パワーコンディショナー）と、を具備するものである。
【００９４】
このように構成することにより、停電時に特定負荷２２へ長期間電力を供給することができる。
【００９５】
なお、本実施形態に係る特定負荷２２は、負荷の実施の一形態である。
また、本実施形態に係る蓄電ユニットは、第一の発電ユニット４０の実施の一形態である。
また、本実施形態に係る発電ユニットは、第二の発電ユニット５０の実施の一形態である。
また、本実施形態に係る配電線Ｌ５・Ｌ７〜Ｌ１０は、蓄電ユニット及び発電ユニットと負荷とを結ぶ電路の実施の一形態である。
また、本実施形態に係る第一の自動切替盤６０は、本発明に係る第一の切替盤の実施の一形態である。
また、本実施形態に係る配電線Ｌ７〜Ｌ９は、蓄電ユニットと第一の切替盤とを結ぶ電路の実施の一形態である。
また、本実施形態に係る第二の自動切替盤７０は、第二の切替盤の実施の一形態である。
また、本実施形態に係る配電線Ｌ９は、第一の切替盤と第二の切替盤とを結ぶ電路の実施の一形態である。
また、本実施形態に係る配電線Ｌ５・Ｌ９は、第一の切替盤と負荷とを結ぶ電路の実施の一形態である。
また、本実施形態に係る太陽電池パネル４１は、発電装置の実施の一形態である。
【００９６】
以上、本発明の実施形態を説明したが、本発明は上記構成に限定されるものではなく、特許請求の範囲に記載された発明の範囲内で種々の変更が可能である。
【００９７】
例えば、第一の発電ユニット４０は、太陽電池パネル４１を具備する（発電能力を有する）必要はない。
【００９８】
また、第二の発電ユニット５０は、発電可能であれば、太陽電池パネル５１を具備する必要はない。例えば、第二の発電ユニット５０は、太陽電池パネル５１に替えて燃料電池や風力発電装置を具備するものであっても良い。また、第一の発電ユニット４０は、太陽電池パネル４１に替えて燃料電池や風力発電装置を具備するものであっても良い。
【００９９】
また、本実施形態において、第一の発電ユニット４０及び第二の発電ユニット５０は、停電時に特定負荷２２及び充電コンセント２３へ電力を供給するものとしたが、停電時に一般負荷２１、特定負荷２２又は充電コンセント２３の少なくともいずれか一つへ電力を供給するものであっても良い。
【０１００】
また、本実施形態において、蓄電装置３０は、第一の発電ユニット４０、第二の発電ユニット５０及び商用電源１００からの電力を充放電するものとしたが、第一の発電ユニット４０、第二の発電ユニット５０又は商用電源１００の少なくともいずれか一つからの電力を充放電可能であれば良い。
【０１０１】
また、防災倉庫１は、必ずしも蓄電装置３０を具備する必要はない。
【０１０２】
また、第一の発電ユニット４０は、停電時に充電コンセント２３に加えて、別途設けられた外部コンセントへも電力を供給可能に構成することも可能である。この場合、第一の発電ユニット４０は、充電コンセント２３が電気自動車と接続されていない場合に、外部コンセントへ電力を供給しても良い。また、第一の発電ユニット４０は、充電コンセント２３と外部コンセントとに給電先を切替可能な手動スイッチを具備していても良い。
【０１０３】
また、本実施形態において、パワコン４３・５２、第一の自動切替盤６０及び第二の自動切替盤７０は、配電線Ｌ１に設けられる電圧センサから入力される信号に基づいて、停電を検知するものとしたが、停電を検知するための手段はこれに限定されるものでない。例えば、パワコン４３・５２、第一の自動切替盤６０及び第二の自動切替盤７０は、停電を検知可能な所定の制御装置から入力される信号に基づいて停電を検知しても良い。
【符号の説明】
【０１０４】
１    防災倉庫
１０  建物本体
２２  特定負荷
４０  第一の発電ユニット（蓄電ユニット）
５０  第二の発電ユニット（発電ユニット）
６０  第一の自動切替盤（第一の切替盤）
【図１】
2017038490.tif 000003
【図２】
2017038490.tif 000004
【図３】
2017038490.tif 000005
【図４】
2017038490.tif 000006
【図５】
2017038490.tif 000007